(57)【要約】【課題】作業者が設定方法を選択できるようにし、必要な時に最適な設定方法で設定作業が行える自由度の高い伝送器を実現すること。【解決手段】表示部と、表示部の表示動作を切り替えるための外部から操作可能なスイッチと、所望の設定値を設定するための外部から操作可能な設定手段を備えた伝送器において、前記設定手段による設定として、桁を区別して各桁を個別に設定する選択肢作成型設定と、桁を区別せずに全桁を同時に設定する選択肢選択型設定のいずれかを選択する選択手段を設けたことを特徴とするもの。【選択図】  図２３
2015225016.tif 000002
【特許請求の範囲】
【請求項１】
表示部と、表示部の表示動作を切り替えるための外部から操作可能なスイッチと、所望の設定値を設定するための外部から操作可能な設定手段を備えた伝送器において、
前記設定手段による設定として、
桁を区別して各桁を個別に設定する選択肢作成型設定と、桁を区別せずに全桁を同時に設定する選択肢選択型設定のいずれかを選択する選択手段を設けたことを特徴とする伝送器。
【請求項２】
前記設定手段は外部から操作可能なネジであることを特徴とする請求項１記載の伝送器。
【請求項３】
前記ネジの回転速度に応じて前記設定値の変更量を制御することを特徴とする請求項１または請求項２記載の伝送器。
【請求項４】
前記ネジの回転方向に応じて前記設定値を増減変更することを特徴とする請求項２または請求項３記載の伝送器。
【請求項５】
前記スイッチと前記ネジは一体化されていることを特徴とする請求項２から請求項４のいずれかに記載の伝送器。
【発明の詳細な説明】
【技術分野】
【０００１】
本発明は、伝送器に関し、詳しくは、伝送器の属性情報などの設定入力の改善に関するものである。
【背景技術】
【０００２】
プロセス制御システムでは、プロセス配管系統の各部における圧力、温度、流量などの各種の測定物理量を電気信号に変換して計器室に伝送するために、それぞれに対応した各種の伝送器が用いられている。
【０００３】
これら伝送器には、初期設定、プラント操業中の保守点検作業、機器交換作業などにあたり、設置現場で他のツールを用いることなく伝送器単体で、伝送器固有の属性情報などを設定入力するための操作部が設けられたものがある。
【０００４】
これらの設定方法は以下の２つに大別されて、いずれか一方に固定されている。
ａ）選択肢作成型設定：桁を区別して各桁を個別に設定する
ｂ）選択肢選択型設定：桁を区別せずに全桁を同時に設定する
【０００５】
ここで、選択肢作成型設定には以下の特徴がある。
＜利点＞
１）任意の数値を組み合わせて任意の数値列を設定できる。
・任意の実数値を設定できる。
例）零点、上限値(URV)、下限値(LRV)など
・任意の整数値を設定できる。
例）Address、小数点位置など
２）任意の数値と文字を組み合わせて任意の文字列を設定できる。
例）タグ名、パスワードなど
【０００６】
＜欠点＞
１）作業者に余計な工数を強いることになる。
・大まかな設定がしづらい。
例）ダンピング、Address、上限値(URV)、下限値(LRV)など
２）文字列の選択には不向きである。
・文字列自体に意味があるため、一から文字列を設定するのは非現実的である。
例）Ident Number、単位、”Enable”／”Disable”など
【０００７】
一方、選択肢選択型設定には以下の特徴がある。
＜利点＞
１）大まかな設定がしやすい。
例）ダンピング、Address、上限値(URV)、下限値(LRV)など
２）文字列の選択に向く。
例）Ident Number、単位、”Enable”／”Disable”など
【０００８】
＜欠点＞
１）任意の数値を組み合わせて任意の数値列を設定できない。
例）零点、上限値(URV)、下限値(LRV)、Addressなど
２）任意の数値と文字を組み合わせ、任意の文字列を設定できない。
例）タグ名、パスワード等
３）任意の数値列や任意の文字列を設定するには、別途、調整機器を必要とする。
例)HHT、専用設定端末など
【０００９】
特許文献１には、複数の赤外線スイッチで設定を行う技術が記載されている。
【先行技術文献】
【特許文献】
【００１０】
【特許文献１】特開２０１３−０３０３４９号公報
【発明の開示】
【発明が解決しようとする課題】
【００１１】
しかし、上記の従来の伝送器の設定方法は固定化されていることから、作業者の自由度が低く、必要な時に最適な設定方法で作業できないという問題がある。
【００１２】
本発明は、このような問題点を解決するものであり、その目的は、作業者が設定方法を選択できるようにし、必要な時に最適な設定方法で設定作業が行える自由度の高い伝送器を実現することにある。
【００１３】
このような目的を達成するために、本発明のうち請求項１記載の発明は、
表示部と、表示部の表示動作を切り替えるための外部から操作可能なスイッチと、所望の設定値を設定するための外部から操作可能な設定手段を備えた伝送器において、
前記設定手段による設定として、
桁を区別して各桁を個別に設定する選択肢作成型設定と、桁を区別せずに全桁を同時に設定する選択肢選択型設定のいずれかを選択する選択手段を設けたことを特徴とする。
【００１４】
請求項２記載の発明は、請求項１記載の伝送器において、
前記設定手段は外部から操作可能なネジであることを特徴とする。
【００１５】
請求項３記載の発明は、請求項２記載の伝送器において、
前記ネジの回転速度に応じて前記設定値の変更量を制御することを特徴とする。
【００１６】
請求項４記載の発明は、請求項２または請求項３記載の伝送器において、
前記ネジの回転方向に応じて前記設定値を増減変更することを特徴とする。
【００１７】
請求項５記載の発明は、請求項２から請求項４のいずれかに記載の伝送器において、
前記スイッチと前記ネジは一体化されていることを特徴とする。
【発明の効果】
【００１８】
本発明によれば、設定方法は固定化されていない。したがって作業者は、必要な時に最適な設定方法で、伝送器の設定作業を行うことができる。
【図面の簡単な説明】
【００１９】
【図１】本発明の一実施例を示す操作部の概念図である。
【図２】本発明に基づく伝送器と電源の接続図である。
【図３】本発明に基づく基本的な設定手順の遷移定義図である。
【図４】非編集中Ａにおける遷移定義図である。
【図５】非編集中Ａにおける動作説明図である。
【図６】「待機」段階における遷移定義図である。
【図７】「切替」段階における動作説明図である。
【図８】図７の変形例の動作説明図である。
【図９】表示部１の具体例を示す構成説明図である。
【図１０】「選択肢作成型設定」の場合における遷移定義図である。
【図１１】「選択肢選択型設定」の場合における遷移定義図である。
【図１２】「選択肢作成型設定」の場合における遷移定義図である。
【図１３】「選択肢作成型設定」における零点調整時の表示部１の表示例である。
【図１４】「選択肢選択型設定」における零点調整時の表示部１の表示例である。
【図１５】「選択肢作成型設定」におけるAddress設定時の表示部１の表示例である。
【図１６】「選択肢選択型設定」におけるAddress設定時の表示部１の表示例である。
【図１７】「選択肢選択型設定」におけるIdent Number設定時の表示部１の表示例である。
【図１８】「選択肢作成型設定」におけるTag設定時の表示部１の表示例である。
【図１９】「確認」の動作説明図である。
【図２０】「保存」を選択した場合の動作説明図である。
【図２１】「取消」を選択した場合の動作説明図である。
【図２２】本発明に基づく設定手順の全体の流れを説明する遷移定義図である。
【図２３】本発明に基づく内部機能ブロック図である。
【図２４】本発明に基づく伝送器の具体例を示す外観図である。
【発明を実施するための最良の形態】
【００２０】
図１は、本発明の一実施例を示す操作部の概念図である。図１において、表示部１の下部には図示しないスイッチを外部から操作するための第１操作部として機能する少なくとも１個の操作ボタン２が設けられていて、操作ボタン２の下部には外部から零点調整を行うための第２操作部として機能する少なくとも１個のネジ３が設けられている。
【００２１】
操作ボタン２には、「機能１」、「機能２」、…、「機能ｎ」と、所定の機能が割り当てられている。たとえば、設定項目を選択する「選択機能」と、選択内容を決定承認する「決定機能」が割り当てられる。
【００２２】
ネジ３には、「機能１’」、「機能２’」、…、「機能ｎ’」と、所定の機能が割り当てられている。たとえば、設定項目が有する選択肢を選択する「選択」機能が割り当てられる。
【００２３】
図２は、本発明に基づく伝送器と電源の接続図である。伝送器４は電源供給線５を介して電源６と接続されている。
【００２４】
図３は、本発明に基づく基本的な設定手順の遷移定義図である。図３において、全体の状態遷移は、非編集中Ａと編集中Ｂの２つの状態を用いて管理する。
１）非編集中Ａは待機７１を包含する。
２）編集中Ｂは切替７２→選択７３→確認７４→決定７５を包含する。
３）ここで、非編集中Ａから編集中Ｂへ遷移しない限り、設定処理は実行されない。
【００２５】
初期状態は、非編集中Ａの待機７１の段階である。待機７１の段階では、外部操作を介して、以下の動作を行う。
１）外部操作を介した入力を待つ。
２）何も入力がない限り、現在の設定項目の待機７１の段階に遷移する。
３）設定項目を切り替えるためのトリガが入力されると、次の設定項目の待機７１の段階に遷移する。
４）設定を開始するトリガが入力されると、編集中Ｂの切替７２の段階に遷移する。
【００２６】
切替７２の段階では、外部操作を介して、以下の動作をする。
１）設定方法を切り替える。
２）設定方法の切替を完了するトリガが入力されない限りは、切替７２の段階に遷移する。
３）設定方法の切替を完了するトリガが入力されると、選択７３の段階に遷移する。
【００２７】
選択７３の段階では、外部操作を介して、以下の動作をする。
１）切替７２の段階の設定方法に従い、設定項目の選択肢を選択する。
２）設定を完了するトリガが入力されない限り、選択７３の段階に遷移する。
３）設定を完了するトリガが入力されると、確認７４の段階に遷移する。
【００２８】
確認７４の段階では、外部操作を介して、以下の動作をする。
１）選択した選択肢を設定値に反映するか否か、確認する。
２）確認を完了するトリガが入力されない限り、確認７４の段階に遷移する。
３）設定を完了するトリガが入力されると、決定７５の段階に遷移する。
【００２９】
決定７５の段階では、以下の動作をする。
１）確認７４の段階の完了内容に応じて、設定値への反映が決定される。
２）設定値への反映が完了すると、現在の設定項目の非編集中Ａの待機７１の段階に遷移する。
【００３０】
ここで、前述の「選択肢作成型設定」とは、設定項目において特定の選択肢が用意されておらず、設定したい選択肢を作成し、設定値として設定する方法のことをいう。
【００３１】
作成された選択肢は固有の「意味」を有しており、選択肢を自由に編集することで、別の「意味」を有する選択肢を作成することができる。たとえば、設定項目である機能Ａにおいて、「数値の１００」という意味を持つ選択肢として”１００”、「数値の１１０」という意味を持つ選択肢として”１１０”を作成したとする。”１００”を設定値として設定することで、機能Ａを”１００”に設定する。また、”１１０”を設定値として設定することで、機能Ｂを”１１０”に設定する。
【００３２】
”１００”と”１１０”以外にも、「意味」のある選択肢を作成できる。「数値の１１５」という意味を持つ選択肢として”１１５”、「数値の１２０」という意味を持つ選択肢として”１２０”も設定値として設定できる。すなわち、機能Ａにおいて作成可能な選択肢であれば、いかなる選択肢も設定値として設定できるということである。
【００３３】
一方、前述の「選択肢選択型設定」とは、設定項目においてあらかじめ用意されている選択肢の中から、設定したい選択肢を選択し、設定値として設定する方法のことをいう。あらかじめ用意されている選択肢は固有の「意味」を有しており、その選択肢を自由に編集することはできない。
【００３４】
たとえば、設定項目である機能Ｂにおいて、「有効にする」という意味を持つ選択肢として”ENABL”があらかじめ用意され、「無効にする」という意味を持つ選択肢として”DISABL”があらかじめ用意されているとする。”ENABL”を設定値として設定することにより機能Ｂを「有効」にでき、”DISABL”を設定値として設定することにより機能Ｂを「無効」にできる。すなわち、機能Ｂにおいて「意味」のある選択肢は、”ENABL”と”DISABL”の２つだけである。
【００３５】
選択肢を自由に編集できるとすると、たとえば選択肢として”ON”や”OFF”を設定できることになる。しかし、機能Ｂにおいて「意味」のある選択肢は、”ENABL”と”DISABL”の２つだけであるため、選択肢として”ON”や”OFF”の設定はできない。その理由は、”ON”や”OFF”は”ENABL”や”DISABL”のように「意味」を持たないためである。
【００３６】
図４は、非編集中Ａにおける遷移定義図である。
初期状態として「設定項目１の待機」に遷移し（Ｓ１）、以下の動作をする。
１）「選択」ボタンを押下しない限り、「設定項目１の待機」の状態を保持する。
２）「選択」ボタンを押下しない限り、「設定項目１」の「受付待ち画面」を表示部１に表示する。
３）「選択」ボタンを押下すると、「設定項目２の待機」に遷移する（Ｓ２）。
【００３７】
「設定項目２の待機」に遷移しているとき、以下の動作をする。
１）「選択」ボタンを押下しない限り、「設定項目２の待機」の状態を保持する。
２）「選択」ボタンを押下しない限り、「設定項目２」の「受付待ち画面」を表示部１に表示する。
３）「選択」ボタンを押下すると、「設定項目３の待機」に遷移する（Ｓ３）。
以下、「設定項目３」から「設定項目（ｎ−１）」（Ｓ４）まで、前述と同じ動作を実行する。
【００３８】
「設定項目ｎの待機」に遷移しているとき、以下の動作をする。
１）「選択」ボタンを押下しない限り、「設定項目ｎの待機」の状態を保持する（Ｓ５）。
２）「選択」ボタンを押下しない限り、「設定項目ｎ」の「受付待ち画面」を表示部１に表示する。
３）「選択」ボタンを押下すると、再び「設定項目１の待機」に遷移する（Ｓ１）。
【００３９】
図５は非編集中Ａにおける動作説明図であり、（Ａ）は遷移例を示し、（Ｂ）は各遷移段階に対応した表示部１の表示例を示している。なお、表示部１には８桁の表示素子列が上下２段に設けられているが、表示部１の詳しい説明は後述する。
【００４０】
初期状態として、「零点調整の待機」に遷移する（Ｓ１）。「零点調整の待機」に遷移しているとき、以下の動作をする。
１）「選択」ボタンを押下しない限り、「零点調整の待機」の状態を保持する。
２）「選択」ボタンを押下しない限り、「零点調整」の「受付待ち画面」を表示部１に表示する。表示部１の上の表示素子列には「１３．１５」が設定表示され、表示部１の下の表示素子列には「ZERO」が設定表示されている。
３）「選択」ボタンを押下すると、「Address設定の待機」に遷移する（Ｓ２）。
【００４１】
「Address設定の待機」に遷移しているとき、以下の動作をする。
１）「選択」ボタンを押下しない限り、「Address設定の待機」の状態を保持する。
２）「選択」ボタンを押下しない限り、「Address設定」の「受付待ち画面」を表示部１に表示する。表示部１の上の表示素子列には「１３５」が設定表示され、表示部１の下の表示素子列には「ADDRS」が設定表示されている。
３）「選択」ボタンを押下すると、「Ident Number設定の待機」に遷移する（Ｓ３）。
【００４２】
「Ident Number設定の待機」に遷移しているとき、以下の動作をする。
１）「選択」ボタンを押下しない限り、「Ident Number設定の待機」の状態を保持する。
２）「選択」ボタンを押下しない限り、「Ident Number設定の待機」の「受付待ち画面」を表示部１に表示する。表示部１の上の表示素子列には「４５８０」が設定表示され、表示部１の下の表示素子列には「IDENT」が設定表示されている。
３）「選択」ボタンを押下すると、「Tag設定の待機」に遷移する（Ｓ４）。
【００４３】
「Tag設定の待機」に遷移しているとき、以下の動作をする。
１）「選択」ボタンを押下しない限り、「Tag設定の待機」の状態を保持する。
２）「選択」ボタンを押下しない限り、「Tag設定の待機」の「受付待ち画面」を表示部１に表示する。表示部１の上の表示素子列には「PT.0031」が設定表示され、表示部１の下の表示素子列には「TAG」が設定表示されている。
３）「選択」ボタンを押下すると、「零点調整の待機」に遷移する。
【００４４】
図６は、「待機」段階における遷移定義図である。「待機」状態では、「決定」ボタンを押下しない限り現在の設定項目の「待機」の状態を保持し（Ｓ１）、「決定」ボタンを押下すると「切替」に遷移する（Ｓ２）。
【００４５】
図７は「切替」段階における動作説明図であり、（Ａ）は遷移例を示し、（Ｂ）は各遷移段階に対応した表示部１の表示例を示している。
【００４６】
初期状態として、「選択肢作成型設定の受付待ち」に遷移する（Ｓ１）。「選択肢作成型設定の受付待ち」に遷移しているとき、以下の動作をする。
１）「選択」ボタンまたは「決定」ボタンを押下しない限り、「選択肢作成型設定の受付待ち」の状態を保持する。
２）「選択」ボタンまたは「決定」ボタンを押下しない限り、「選択肢作成型設定」の「受付待ち画面」を表示部１に表示する。表示部１の下の表示素子列には「SINGL」が表示されている。
３）「選択」ボタンを押下すると「選択肢選択型設定の受付待ち」に遷移し（Ｓ２）、「決定」ボタンを押下すると「選択」の「選択肢作成型設定」に遷移する（Ｓ４）。
【００４７】
「選択肢選択型設定の受付待ち」に遷移しているとき、以下の動作をする。
１）「選択」ボタンまたは「決定」ボタンを押下しない限り、「選択肢選択型設定の受付待ち」の状態を保持する。
２）「選択」ボタンまたは「決定」ボタンを押下しない限り、「選択肢選択型設定」の「受付待ち画面」を表示部１に表示する。表示部１の下の表示素子列には「DYNAM」が表示されている。
３）「選択」ボタンを押下すると「取消の受付待ち」に遷移し（Ｓ３）、「決定」ボタンを押下すると、「選択」の「選択肢選択型設定」に遷移する（Ｓ５）。
【００４８】
「取消の受付待ち」に遷移しているとき、以下の動作をする。
１）「選択」ボタンまたは「決定」ボタンを押下しない限り、「取消の受付待ち」の状態を保持する。
２）「選択」ボタンまたは「決定」ボタンを押下しない限り、「取消」の「受付待ち画面」を表示部１に表示する。表示部１の下の表示素子列には「CANCL」が表示されている。
３）「選択」ボタンを押下すると再び「選択肢作成型設定の受付待ち」に遷移し（Ｓ１）、「決定」ボタンを押下すると「待機」に遷移する（Ｓ６）。
【００４９】
なお、図７の変形例として、図８（Ａ），（Ｂ）に示すように、設定方法に「選択肢選択型設定」または「選択肢作成型設定」のいずれかを含めない場合も考えられる。
【００５０】
図８（Ａ）は、「選択肢選択型設定」を含めない場合の動作説明図である。
図８（Ａ）において、初期状態として、「選択肢作成型設定の受付待ち」に遷移する（Ｓ１）。「選択肢作成型設定の受付待ち」に遷移しているとき、以下の動作をする。
１）「選択」ボタンまたは「決定」ボタンを押下しない限り、「選択肢作成型設定の受付待ち」の状態を保持する。
２）「選択」ボタンまたは「決定」ボタンを押下しない限り、「選択肢作成型設定」の「受付待ち画面」を表示部１に表示する。
３）「選択」ボタンを押下すると「取消の受付待ち」に遷移し（Ｓ２）、「決定」ボタンを押下すると「選択」の「選択肢作成型設定」に遷移する（Ｓ３）。
【００５１】
「取消の受付待ち」に遷移しているとき、以下の動作をする。
１）「選択」ボタンまたは「決定」ボタンを押下しない限り、「取消の受付待ち」の状態を保持する。
２）「選択」ボタンまたは「決定」ボタンを押下しない限り、「取消」の「受付待ち画面」を表示部１に表示する。
３）「選択」ボタンを押下すると再び「選択肢作成型設定の受付待ち」に遷移し（Ｓ１）、「決定」ボタンを押下すると「待機」に遷移する（Ｓ４）。
【００５２】
図８（Ｂ）は、「選択肢作成型設定」を含めない場合の動作説明図である。
図８（Ｂ）において、初期状態として、「選択肢作成型設定の受付待ち」に遷移する（Ｓ１）。「選択肢作成型設定の受付待ち」に遷移しているとき、以下の動作をする。
１）「選択」ボタンまたは「決定」ボタンを押下しない限り、「選択肢作成型設定の受付待ち」の状態を保持する。
２）「選択」ボタンまたは「決定」ボタンを押下しない限り、「選択肢作成型設定」の「受付待ち画面」を表示部１に表示する。
３）「選択」ボタンを押下すると「取消の受付待ち」に遷移し（Ｓ２）、「決定」ボタンを押下すると「選択」の「選択肢作成型設定」に遷移する（Ｓ３）。
【００５３】
「取消の受付待ち」に遷移しているとき、以下の動作をする。
１）「選択」ボタンまたは「決定」ボタンを押下しない限り、「取消の受付待ち」の状態を保持する。
２）「選択」ボタンまたは「決定」ボタンを押下しない限り、「取消」の「受付待ち画面」を表示部１に表示する。
３）「選択」ボタンを押下すると再び「選択肢作成型設定の受付待ち」に遷移し（Ｓ１）、「決定」ボタンを押下すると「待機」に遷移する（Ｓ４）。
【００５４】
図９は、表示部１の具体例を示す構成説明図である。表示部１には、複数ｎ桁の表示素子よりなる２つの表示素子列１１と１２が下段と上段に平行に設けられている。下段の表示素子列１１には現在の設定項目の名称が表示され、上段の表示素子列１２には現在の設定項目の選択肢が表示される。
【００５５】
これら上下の表示素子列１１、１２を構成する各桁の表示素子は、以下の英数文字記号類を表示する。
１）数値（0、1、…、8、9）
２）アルファベット（A、B、…、Y、Z）
３）記号（“-“、”.”、”/”、”_（ブランク用）”など）
【００５６】
これら表示素子列１１、１２を構成する各桁の表示素子の表示内容を変えることで、どの桁を編集中かを作業者に伝える。たとえば、桁ｍの表示素子の表示内容を編集中であれば、桁ｍの表示素子は、作業者が選択した「選択肢」と「_（ブランク用）」とを交互に切替表示する。
【００５７】
図１０は、「選択肢作成型設定」の場合における遷移定義図である。
初期状態として「上段桁ｎの編集状態」に遷移し（Ｓ１）、以下の動作をする。
１）「選択」ボタンまたは「決定」ボタンを押下しない限り、「上段桁ｎの編集状態」を保持し、「上段桁ｎ」の表示を点滅させる。
２）ネジを回転すると、「上段桁ｎ」において、選択肢を選択できる。
３）「選択」ボタンを押下すると、「上段桁(n-1)の編集状態」に遷移する（Ｓ２）。
４）「決定」ボタンを押下すると、確認に遷移する（Ｓ８）。
【００５８】
「上段桁(n-1)の編集状態」に遷移しているとき（Ｓ２）、以下の動作をする。
１）「選択」ボタンまたは「決定」ボタンを押下しない限り、「上段桁(n-1)の編集状態」を保持し、「上段桁(n-1)」の表示を点滅させる。
２）ネジを回転すると、「上段桁(n-1)」において、選択肢を選択できる。
３）「選択」ボタンを押下すると、「上段桁(n-2)の編集状態」に遷移する（Ｓ３）。
４）「決定」ボタンを押下すると、確認に遷移する（Ｓ８）。
【００５９】
「上段桁(n-2)」から「上段桁1」まで、前述と同じ動作をする。
【００６０】
「上段桁1の編集状態」に遷移しているとき（Ｓ7）、以下の動作をする。。
１）「選択」ボタンまたは「決定」ボタンを押下しない限り、「上段桁1の編集状態」を保持し、「上段桁1」の表示を点滅させる。
２）ネジを回転すると、「上段桁1」において、選択肢を選択できる。
３）「選択」ボタンを押下すると、「上段桁nの編集状態」に遷移する（Ｓ１）。
４）「決定」ボタンを押下すると、確認に遷移する（Ｓ８）。
【００６１】
図１１は、「選択肢選択型設定」の場合における遷移定義図である。
初期状態として、同時に、「上段桁ｎから上段桁1の編集状態」に遷移し（Ｓ１）、以下の動作をする。
１）「選択」ボタンまたは「決定」ボタンを押下しない限り、「上段桁ｎから上段桁1の編集状態」を保持し、「上段桁ｎ」から「上段桁1」の表示を点滅させる。
２）ネジを回転すると、「上段桁ｎ」から「上段桁1」において、選択肢を選択できる。
３）「決定」ボタンを押下すると、確認に遷移する（Ｓ２）。
【００６２】
ここで、実数値の設定対象例として、以下がある。
１）零点
２）下限値
３）上限値
４）積算プリセット値
５）シミュレーション値
６）ループテスト値
【００６３】
選択肢は、数値と”.”、”-”、”_”である。
なお、数値と”.”、”-”、”_”の選択が可能か否かは、設定時の状況に従う。
【００６４】
整数値の設定対象例として、以下がある。
１）Address（0、1、2、…）
２）小数点位置（0、1、2、…）
【００６５】
整数値設定の場合の選択肢は、数値と、”-”、”_”である。
なお、数値と”-”、”_”の選択が可能か否かは、設定時の状況に従う。
【００６６】
文字列選択の設定対象例として、以下がある。
０１）Ident Number（Auto、4580、4581、9700、9701、…）
０２）単位（圧力、流量、温度、レベル）
０３）表示部への表示対象（積算値、差圧、静圧、温度、流量、レベル）
０４）積算対象（差圧、静圧、温度、流量、レベル）
０５）積算操作（開始、リセット、プリセット）
【００６７】
０６）積算方向（正側、負側、正負側、停止）
０７）フェールセーフモード（現在値、前回有効値、設定値）
０８）出力モード（リニア、開平）
０９）受圧方向（順方向、逆方向）
１０）ループテストモード（4mA、20mA、カスタム値）
１１）表示器への表示（有効化／無効化）
１２）シミュレーション（有効化／無効化）
【００６８】
１３）ループテスト（有効化／無効化）
１４）Local Operator Interface（有効化／無効化）
１５）Write Lock（有効化／無効化）
１６）計器種類（差圧計、圧力計、絶対圧計）
１７）通信方式（アナログ、ハイブリッド、デジタル）
１８）セキュリティモード（マスター、ノーマル、スタートアップ、メンテナンス、サービス）
【００６９】
選択肢はあらかじめ用意されている文字列であり、選択肢の文字列は不変で自由に変更できない。
【００７０】
文字列作成の設定対象の例として、以下がある。
１）タグ
２）パスワード
【００７１】
選択肢は、数値とアルファベット、”.”、”-”、”_”である。
なお、文字列は可変であり、自由に変更できる。
【００７２】
図１２も、「選択肢作成型設定」の場合における遷移定義図である。
初期状態として、「上段桁8の編集状態」に遷移し（Ｓ１）、以下の動作をする。
１）「選択」ボタンまたは「決定」ボタンを押下しない限り、「上段桁8の編集状態」を保持し、「上段桁8」の表示を点滅させる。
２）ネジを回転すると、「上段桁8」において、選択肢を選択できる。
３）「選択」ボタンを押下すると、「上段桁7の編集状態」に遷移する（Ｓ３）。
４）「決定」ボタンを押下すると、確認に遷移する（Ｓ９）。
【００７３】
「上段桁7の編集状態」に遷移しているとき（Ｓ２）、以下の動作をする。
１）「選択」ボタンまたは「決定」ボタンを押下しない限り、「上段桁7の編集状態」を保持し、「上段桁7」の表示を点滅させる。
２）ネジを回転すると、「上段桁7」において、選択肢を選択できる。
３）「選択」ボタンを押下すると、「上段桁6の編集状態」に遷移する（Ｓ３）。
４）「決定」ボタンを押下すると、確認に遷移する（Ｓ９）。
【００７４】
「上段桁1の編集状態」に遷移しているとき（Ｓ８）、以下の動作をする。
１）「選択」ボタンまたは「決定」ボタンを押下しない限り、「上段桁1の編集状態」を保持し、「上段桁1」の表示を点滅させる。
２）ネジを回転すると、「上段桁1」において、選択肢を選択できる。
３）「選択」ボタンを押下すると、「上段桁8の編集状態」に遷移する（Ｓ１）。
４）「決定」ボタンを押下すると、確認に遷移する（Ｓ９）。
【００７５】
図１３は、「選択肢作成型設定」における零点調整時の表示部１の表示例である。下段の表示素子列１１には、現在の設定項目として「ZERO」が表示されている。
初期状態として、「上段桁8の編集状態」に遷移し（Ｓ１）、以下の動作をする。
１）初期値は「_」である。
２）「選択」ボタンを押下すると、「上段桁7」の編集状態に遷移する。
【００７６】
「上段桁7の編集状態」に遷移しているとき、以下の動作をする。
１）初期値は「_」である。
２）「選択」ボタンを押下すると、「上段桁６」の編集状態に遷移する。
【００７７】
「上段桁６の編集状態」に遷移しているとき、以下の動作をする。
１）初期値は「_」である。
２）「選択」ボタンを押下すると、「上段桁５」の編集状態に遷移する（Ｓ２）。
【００７８】
「上段桁５の編集状態」に遷移しているとき（Ｓ２）、以下の動作をする。
１）初期値は「１」である。
２）ネジを回転させ、「１」→「０」→「__」→「−」と変更する。
３）「選択」ボタンを押下すると、「上段桁４」の編集状態に遷移する（Ｓ３）。
【００７９】
「上段桁４の編集状態」に遷移しているとき（Ｓ４）、以下の動作をする。
１）初期値は「３」である。
２）ネジを回転させ、「３」→「４」→「５」と変更する。
３）「選択」ボタンを押下すると、「上段桁３」の編集状態に遷移する（Ｓ５）。
【００８０】
「上段桁３の編集状態」に遷移しているとき（Ｓ６）、以下の動作をする。
１）初期値は「.」である。
２）「選択」ボタンを押下すると、「上段桁２」の編集状態に遷移する（Ｓ７）。
【００８１】
「上段桁２の編集状態」に遷移しているとき（Ｓ８）、以下の動作をする。
１）初期値は「１」である。
２）ネジを回転させ、「１」→「０」と変更する。
３）「選択」ボタンを押下すると、「上段桁１」の編集状態に遷移する（Ｓ９）。
【００８２】
「上段桁１の編集状態」に遷移しているとき（Ｓ１０）、以下の動作をする。
１）初期値は「５」である。
２）ネジを回転させ、「５」→「４」→「３」→「２」→「１」→「０」と変更する。
３）「選択」ボタンを押下すると、「上段桁８」の編集状態に遷移する。
４）「決定」ボタンを押下すると、「確認」に遷移する。
【００８３】
図１４は、「選択肢選択型設定」における零点調整時の表示部１の表示例である。下段の表示素子列１１には現在の設定項目として「ＺＥＲＯ」が表示されている。
１）上段の表示素子列１２には初期値として「13.15」が表示されている。
２）ネジを回転させ、「13.15」（Ｓ１）→「13.00」（Ｓ２）→…→「10.00」（Ｓ３）→…→「5.00」（Ｓ４）→…→「0.00」（Ｓ５）→…→「-1.0」（Ｓ６）→…→「-5.00」（Ｓ７）と変更する。
３）「決定」ボタンを押下すると、「確認」に遷移する。
【００８４】
図１５は、「選択肢作成型設定」におけるAddress設定時の表示部１の表示例である。下段の表示素子列１１には現在の設定項目として「ADDRS」が表示されている。
初期状態として、「上段桁8の編集状態」に遷移し（Ｓ１）、以下の動作をする。
１）初期値は「_」である。
２）「選択」ボタンを押下すると、「上段桁7」の編集状態に遷移する。
【００８５】
「上段桁7の編集状態」に遷移しているとき、以下の動作をする。
１）初期値は「_」である。
２）「選択」ボタンを押下すると、「上段桁６」の編集状態に遷移する。
【００８６】
「上段桁６の編集状態」に遷移しているとき、以下の動作をする。
１）初期値は「_」である。
２）「選択」ボタンを押下すると、「上段桁５」の編集状態に遷移する。
【００８７】
「上段桁５の編集状態」に遷移しているとき、以下の動作をする。
１）初期値は「_」である。
２）「選択」ボタンを押下すると、「上段桁４」の編集状態に遷移する（Ｓ２）。
【００８８】
「上段桁４の編集状態」に遷移しているとき、以下の動作をする。
１）初期値は「_」である。
２）「選択」ボタンを押下すると、「上段桁３」の編集状態に遷移する（Ｓ３,Ｓ４
）。
【００８９】
「上段桁３の編集状態」に遷移しているとき、以下の動作をする。
１）初期値は「１」である。
２）「選択」ボタンを押下すると、「上段桁２」の編集状態に遷移する（Ｓ５）。
【００９０】
「上段桁２の編集状態」に遷移しているとき、以下の動作をする。
１）初期値は「３」である。
２）ネジを回転させ、「３」→「４」→「５」と変更する。
３）「選択」ボタンを押下すると、「上段桁１」の編集状態に遷移する（Ｓ６）。
【００９１】
「上段桁１の編集状態」に遷移しているとき（Ｓ７）、以下の動作をする。
１）初期値は「５」である。
２）ネジを回転させ、「５」→「４」→「３」→「２」→「１」→「０」と変更する（Ｓ８）。
３）「選択」ボタンを押下すると、「上段桁８」の編集状態に遷移する。
４）「決定」ボタンを押下すると、「確認」に遷移する。
【００９２】
図１６は、「選択肢選択型設定」におけるAddress設定時の表示部１の表示例である。下段の表示素子列１１には現在の設定項目として「ADDRS」が表示されている。
１）上段の表示素子列１２には初期値として「135」が表示されている。
２）ネジを回転させ、「135」（Ｓ１）→「136」（Ｓ２）→…→「140」（Ｓ３）→…→「145」（Ｓ４）→…→「150」（Ｓ５）と変更する。
３）「決定」ボタンを押下すると、「確認」に遷移する。
【００９３】
図１７は、「選択肢選択型設定」におけるIdent Number設定時の表示部１の表示例である。下段の表示素子列１１には現在の設定項目として「IDENT」が表示されている。
１）上段の表示素子列１２には初期値として「4581」が表示されている。
２）ネジを回転させ、「4581」（Ｓ１）→「4580」（Ｓ２）→…→「AUTO」（Ｓ３）と変更する。
３）「決定」ボタンを押下すると、「確認」に遷移する。
【００９４】
図１８は、「選択肢作成型設定」におけるTag設定時の表示部１の表示例である。下段の表示素子列１１には現在の設定項目として「TAG」が表示されている。
初期状態として、「上段桁8の編集状態」に遷移し（Ｓ１）、以下の動作をする。
１）初期値は「_」である。
２）「選択」ボタンを押下すると、「上段桁7」の編集状態に遷移する。
【００９５】
「上段桁7の編集状態」に遷移しているとき、以下の動作をする（Ｓ２）。
１）初期値は「P」である。
２）「選択」ボタンを押下すると、「上段桁６」の編集状態に遷移する。
【００９６】
「上段桁６の編集状態」に遷移しているとき、以下の動作をする。
１）初期値は「T」である。
２）「選択」ボタンを押下すると、「上段桁５」の編集状態に遷移する。
【００９７】
「上段桁５の編集状態」に遷移しているとき、以下の動作をする。
１）初期値は「.」である。
２）「選択」ボタンを押下すると、「上段桁４」の編集状態に遷移する。
【００９８】
「上段桁４の編集状態」に遷移しているとき、以下の動作をする。
１）初期値は「0」である。
２）「選択」ボタンを押下すると、「上段桁３」の編集状態に遷移する。
【００９９】
「上段桁３の編集状態」に遷移しているとき、以下の動作をする。
１）初期値は「0」である。
２）「選択」ボタンを押下すると、「上段桁２」の編集状態に遷移する。
【０１００】
「上段桁２の編集状態」に遷移しているとき、以下の動作をする（Ｓ３）。
１）初期値は「３」である。
２）ネジを回転させ、「３」→「４」→「５」と変更する。
３）「選択」ボタンを押下すると、「上段桁１」の編集状態に遷移する（Ｓ４）。
【０１０１】
「上段桁１の編集状態」に遷移しているとき（Ｓ５）、以下の動作をする。
１）初期値は「１」である。
２）ネジを回転させ、「１」→「２」→「３」→「４」→「５」と変更する（Ｓ６）。
３）「選択」ボタンを押下すると、「上段桁８」の編集状態に遷移する。
４）「決定」ボタンを押下すると、「確認」に遷移する。
【０１０２】
図１９は「確認」の動作説明図であり、（Ａ）は遷移定義図、（Ｂ）は表示部１の表示例である。
初期状態として、「保存の受付待ち」に遷移し（Ｓ１）、以下の動作をする。
１）「選択」ボタンまたは「決定」ボタンを押下しない限り、「保存の受付待ち」を保持し、表示部１には「保存」の「受付待ち画面」を表示する。
２）「選択」ボタンを押下すると、「取消の受付待ち」に遷移する（Ｓ２）。
３）「決定」ボタンを押下すると、決定に遷移する（Ｓ３）。
【０１０３】
「取消の受付待ち」に遷移しているとき（Ｓ２）、以下の動作をする。
１）「選択」ボタンまたは「決定」ボタンを押下しない限り、「取消」の「受付待ち画面」を表示する。
２）「選択」ボタンを押下すると、「保存の受付待ち」に遷移する（Ｓ２）。
３）「決定」ボタンを押下すると、決定に遷移する（Ｓ３）。
【０１０４】
図２０は「決定」の「確認」において「保存」を選択した場合の動作説明図であって、（Ａ）は遷移定義図、（Ｂ）は表示部１の表示例である。
１）選択肢を設定値として保存可能か否かを判断する（Ｓ１）。
２）保存可能な場合は「保存の実施」に遷移し、保存を実行する（Ｓ２）。
３）表示部１には「保存完了画面」を表示する（Ｓ３）。
４）「保存完了画面」を表示後、現在の設定項目の待機へ遷移する。（Ｓ４）。
【０１０５】
選択肢を設定値として保存不可能な場合は、以下のように動作する。
１）選択肢を破棄し、現在の設定値を保持する。
２）表示部１には「保存失敗画面」を表示する。（Ｓ５）。
３）「保存失敗画面」を表示後、現在の設定項目の待機へ遷移する。（Ｓ４）。
【０１０６】
図２１は「決定」の「確認」において「取消」を選択した場合の動作説明図であって、（Ａ）は遷移定義図、（Ｂ）は表示部１の表示例である。
１）「取消の実施」に遷移し、取消を実行する（Ｓ１）。
２）表示部１には「取消完了画面」を表示する（Ｓ２）。
３）「取消完了画面」を表示後、現在の設定項目の待機へ遷移する。（Ｓ３）。
【０１０７】
図２２は本発明に基づく設定手順の全体の流れを説明する遷移定義図であり、図３に示した基本的な設定手順の遷移定義図の詳細図である。図２２における全体の状態遷移は、非編集中Ａと編集中Ｂの２つの状態を用いて管理する。
１）非編集中Ａは待機７１を包含する。
２）編集中Ｂは切替７２→選択７３→確認７４→決定７５を包含する。
３）切替７２は、選択肢作成型設定７２ａと選択肢選択型設定７２ｂと取消７２ｃを包含する。
【０１０８】
４）選択７３は、選択肢作成型設定７３ａと選択肢選択型設定７３ｂを包含する。
５）確認７４は、保存７４ａと取消７４ｂを包含する。
６）決定７５は、保存７５ａと失敗７５ｂと取消７５ｃを包含する。
７）非編集中Ａから編集中Ｂへ遷移しない限り、設定処理は実行されない。
【０１０９】
設定時の初期状態は、非編集中Ａの待機７１である。
待機７１では、外部操作を介して、以下のように動作する。
１）「決定」ボタンを押下しない限り、待機７１のままである。
２）「決定」ボタンを押下すると、編集中Ｂの切替７２に遷移する。
【０１１０】
切替７２では、外部操作を介して、以下のように動作する。
１）「選択」ボタンを押下して、選択肢作成型設定７２ａ、選択肢選択型設定７２ｂ、取消７２ｃのいずれかを選択する。
２）「決定」ボタンを押下しない限り、切替７２に遷移する。
３）「取消」以外を選択して「決定」ボタンを押下すると、選択７３に遷移する。
４）「取消」を選択して「決定」ボタンを押下すると、非編集中Ａの待機７１に遷移する。
【０１１１】
選択７３では、切替７２において選択した内容にしたがって、動作が決まる。
１）選択肢作成型設定７２ａを選択した場合は選択肢作成型設定７３ａに遷移し、桁を区別して各桁を個別に設定する。
２）選択肢選択型設定７２ｂを選択した場合は選択肢選択型設定７３ｂに遷移し、桁を区別せず全桁を同時に設定する。
３）「決定」ボタンを押下しない限り、選択肢作成型設定７２ａまたは選択肢選択型設定７２ｂに遷移する。
４）「決定」ボタンを押下すると、確認７４に遷移する。
【０１１２】
確認７４では、以下のように動作する。
１）「選択」ボタンを押下して、保存７４ａまたは取消７４ｂのいずれかを選択する。
２）「決定」ボタンを押下しない限り、確認７４に遷移する。
３）「決定」ボタンを押下すると、決定７５に遷移する。
【０１１３】
決定７５では、確認７４で選択した内容にしたがって動作が決まる。
１）保存７４ａを選択した場合、選択した選択肢を設定値へ反映する。
２）取消７４ｂを選択した場合、選択した選択肢は破棄され現在の設定値を保持する。
３）動作が完了すると、非編集中Ａの待機７１に遷移する。
【０１１４】
図２３は本発明に基づく内部機能ブロック図であり、図２に示した伝送器４の内部機能ブロック図である。
第1操作部４ａ→操作検出部４ｂ→選択制御部４ｃ、第2操作部４ｈ→操作検出部４ｉ→選択制御部４ｊ、第3操作部４ｋ→操作検出部４ｍ→選択制御部４ｎにおける動作は以下のようになる。
【０１１５】
１）第１操作部４ａの操作に応じて変化するスイッチの接点信号は、操作検出部４ｂで検出されて選択制御部４ｃに入力される。
２）第２操作部４ｈの操作に応じて変化するスイッチの接点信号は、操作検出部４ｉで検出されて選択制御部４ｊに入力される。
３）第３操作部４ｋの操作に応じて変化するスイッチの接点信号は、操作検出部４ｍで検出されて選択制御部４ｎに入力される。
【０１１６】
操作検出部４ｂで検出される第１操作部４ａの操作に応じて変化するスイッチの接点信号に基づく選択制御部４ｃの動作は、以下の１）〜４）の４つになる。
１）非編集中Ａの待機７１に遷移しているとき、設定項目文字列格納部４ｄに格納されている設定項目文字列を順次読み出し、設定項目演算処理部４ｅに設定項目の切替をしていることを通知し、表示部４ｇの表示切替を含む形態で設定項目の切替選択を行う。
２）編集中Ｂの切替７２に遷移しているとき、設定項目文字列格納部４ｄに格納されている設定方法文字列を順次読み出し、設定項目演算処理部４ｅに設定方法の切替をしていることを通知し、表示部４ｇの表示切替を含む形態で、設定方法の切替選択を行う。
【０１１７】
３）編集中Ｂの選択７３の桁ごと選択に遷移しているとき、設定項目演算処理部４ｅに設定桁の切替をしていることを通知し、表示部４ｇの表示切替を含む形態で設定桁の切替選択を行う。
４）編集中Ｂの確認段階７４に遷移しているとき、設定項目文字列格納部４ｄに格納されている確認項目文字列を順次読み出し、設定項目演算処理部４ｅに確認項目の切替をしていることを通知し、表示部４ｇの表示切替を含む形態で確認項目の切替選択を行う。
【０１１８】
操作検出部４ｉで検出される第2操作部４ｈの操作に応じて変化するスイッチの接点信号に基づく選択制御部４ｊの動作は、以下の１）〜４）の４つになる。
１）非編集中Ａの待機７１に遷移しているとき、選択している設定項目の設定開始を決定し、設定項目演算処理部４ｅに決定したことを通知する。
２）編集中Ｂの切替７２に遷移しているとき、選択している切替方法による設定開始を決定し、設定項目演算処理部４ｅに決定したことを通知する。
【０１１９】
３）編集中Ｂの選択７３に遷移しているとき、設定値の候補となる選択肢を決定し、設定項目演算処理部４ｅに設定値の候補を決定したことを通知する。
４）編集中Ｂの確認７４に遷移しているとき、選択している確認内容を決定し、設定項目演算処理部４ｅに決定したことを通知する。
【０１２０】
操作検出部４ｍで検出される第3操作部４ｋの操作に応じて変化するスイッチの接点信号に基づく選択制御部４ｎの動作は、以下のようになる。
１）編集中Ｂの選択７３に遷移しているとき、「選択肢作成型設定」においては選択肢を作成するための要素を選択し、「選択肢選択型設定」においてはあらかじめ用意されている選択肢を選択する。
２）設定項目演算処理部４ｅに選択肢の切替をしていることを通知し、「選択肢作成型設定」においては選択肢を作成するための要素を設定値格納部４ｆに格納して、「選択肢選択型設定」においてはあらかじめ用意されている選択肢を設定値格納部４ｆに格納し、表示部４ｇの表示切替を含む形態で選択肢の切替選択を行う。
【０１２１】
選択制御部４ｃ，４ｊ，４ｎからの入力信号に基づく設定項目演算処理部４ｅにおける動作は、以下の１）〜５）の５つになる。
１）非編集中Ａの待機７１に遷移しているとき、選択制御部４ｃにおける設定項目の切替信号と、選択制御部４ｊにおける設定項目の決定信号に基づき、選択した設定項目の処理を実施するために、編集中Ｂの切替７２に遷移する処理を行う。
２）編集中Ｂの切替７２に遷移しているとき、選択制御部４ｃにおける設定方法の切替信号と、選択制御部４ｊにおける設定方法の決定信号に基づき、選択した設定方法による処理を実施するために、編集中Ｂの選択７３に遷移する処理を行う。
３）編集中Ｂの確認７４に遷移しているとき、選択制御部４ｃにおける確認項目の切替信号と、選択制御部４ｊにおける確認項目の決定信号に基づき、選択した確認項目による選択肢に対する処理を実施するために、編集中Ｂの決定７５に遷移する処理を行う。
【０１２２】
４）編集中Ｂの選択７３に遷移し、かつ設定方法として「選択肢作成型設定」を選択している場合、選択制御部４ｃにおける設定桁の切替信号と、選択制御部４ｎにおける選択肢を作成するための要素の切替と、選択制御部４ｊにおける設定値の決定信号に基づき、作成した選択肢を設定値の候補として確定する処理を実施するために、編集中Ｂの確認７４に遷移する処理を実施する。
５）編集中Ｂの選択７３に遷移し、かつ設定方法として「選択肢選択型設定」を選択している場合、選択制御部４ｎにおけるあらかじめ用意されている選択肢の切替と、選択制御部４ｊにおける設定値の決定信号に基づき、選択した選択肢を設定値の候補として確定する処理を実施するために、編集中Ｂの確認７４に遷移する処理を実施する。
【０１２３】
通信を確立するための基本設定のみならず、伝送器が有している一般的なパラメータの基本設定も、スイッチの操作のみで、伝送器単体で実施できる。
【０１２４】
また、状況や必要に応じて、作業者が最適な設定方法を選択し作業することで、不要な工数を削減できるとともに、思い通りの作業を実施できる。
【０１２５】
また、本発明に基づく設定作業の実施にあたっては、伝送器本体と稼働用の電源があればよく、別途、通信機器や調整機器などを用意する必要はない。
【０１２６】
なお、基本的な設定項目には、通信設定だけではなく、機器タグ、単位、レンジ、ダンピングなどの一般設定および調整も含むものとする。
【０１２７】
図２４は本発明に基づく伝送器の具体例を示す外観図であり、図１と共通する部分には同一の符号を付けている。円筒状に形成されたケース８の内部には、内器を構成するＣＰＵを含む各種の電子部品が実装されている円板状のプリント配線板９と、表示部１を含み円板状に形成された表示ブロック１０とが、スタッド１１、１２を介して所定の間隔を保つようにして収納される。
【０１２８】
ケース８の開口部の内周面にはネジ溝８ａが設けられていて、カバー１３の円筒状の外周面にはケース８の開口部の内周面に設けられているネジ溝８ａに螺合するようにネジ溝１３ａが設けられている。
【０１２９】
プリント配線板９と表示ブロック１０とが収納されるケース８の開口部の内周面に設けられているネジ溝８ａに、有底円筒状に形成されたカバー１３の円筒状の外周面に設けられているネジ溝１３ａを嵌め合わせることにより、ケース８の開口部をカバー１３で塞ぐことができる。
【０１３０】
なお、円筒状のカバー１３の底面にはガラス窓１３ｂが設けられていて、ケース８の内部に収納される表示部１の表示内容をこのガラス窓１３ｂを通して外部から目視確認できる。
【０１３１】
表示ブロック１０の表示部１の右下近傍には図１に示す操作ボタン２が設けられ、ケース８の外壁の固定部近傍には図１に示すネジ３が設けられているが、ネジ３の頭部は不用意な回転操作を防止するために開閉可能なシャッター１４で覆われている。
【０１３２】
操作ボタン２の操作は、カバー１３をケース８の開口部から取り外してケース８の開口部を開放した状態で行う。
【０１３３】
本発明によれば、基本的な設定項目の設定を、伝送器単体で許可もしくは禁止する操作についても実行できる。
【０１３４】
１つのスイッチに対して１つの機能を割り当てるのではなく、１つのスイッチに複数の機能を割り当てるようにしてもよい。
【０１３５】
スイッチの協調操作としては、スイッチ単体が有する機能とは別の機能を実行するようにしてもよい。
【０１３６】
また、図１および図２の実施例では、スイッチとネジとを個別に設ける例を示したが、たとえばネジの回転量に応じてスイッチの接点が開閉されるようにスイッチとネジとが一体化されたものを用いてもよい。これにより、部品点数を減らすことができる。
【０１３７】
以上の説明から明らかなように、本発明によれば、設定方法が固定化されていないことから、作業者は、必要な時に最適な設定方法で伝送器の設定作業が行える自由度の高い伝送器を提供できる。
【符号の説明】
【０１３８】
１  表示部
２  操作ボタン
３  ネジ
４  伝送器
４ａ  第1操作部
４ｂ、４ｉ、４ｍ  操作検出部
４ｃ、４ｊ、４ｎ  選択制御部
４ｄ  設定項目文字列格納部
４ｅ  設定項目演算処理部
４ｆ  設定値格納部
４ｇ  表示部
４ｈ  第2操作部
４ｋ  第3操作部
５  電源供給線
６  電源
８  ケース
８ａ、１３ａ  ネジ溝
９  プリント配線板
１０  表示ブロック
１１、１２  スタッド
１３  カバー
１３ａ  ネジ溝
１３ｂ  ガラス窓
１４  シャッター
【図１】
2015225016.tif 000003
【図２】
2015225016.tif 000004
【図３】
2015225016.tif 000005
【図４】
2015225016.tif 000006
【図５】
2015225016.tif 000007
【図６】
2015225016.tif 000008
【図７】
2015225016.tif 000009
【図８】
2015225016.tif 000010
【図９】
2015225016.tif 000011
【図１０】
2015225016.tif 000012
【図１１】
2015225016.tif 000013
【図１２】
2015225016.tif 000014
【図１３】
2015225016.tif 000015
【図１４】
2015225016.tif 000016
【図１５】
2015225016.tif 000017
【図１６】
2015225016.tif 000018
【図１７】
2015225016.tif 000019
【図１８】
2015225016.tif 000020
【図１９】
2015225016.tif 000021
【図２０】
2015225016.tif 000022
【図２１】
2015225016.tif 000023
【図２２】
2015225016.tif 000024
【図２３】
2015225016.tif 000025
【図２４】
2015225016.tif 000026